(57)【要約】【課題】幅広い転写材に対して分離安定性が高く、画像抜けの転写不良（ハジキ）の発生のない分離手段を有する画像形成装置の提供。【解決手段】分離部は２つ以上の分離電極を有し、該２つ以上の分離電極の間に仕切板を設け、該２つ以上の分離電極の各々に独立して高圧電源を設け、転写材の物性に応じて該２つ以上の分離電極に印加する電圧を個別に設定可能とし、該２つ以上の分離電極は転写手段側の分離電極に印加する電圧の方が続いて配設された下流側の分離電極に印加する電圧より高いことを特徴とする画像形成装置。【選択図】　　　　図３
2004053730.tif 000002
【特許請求の範囲】
【請求項１】
像担持体上に形成されたトナー像を、給紙部から送られ前記像担持体と転写手段との間を通過する転写材に静電転写し、さらに前記転写手段の下流側に配設された分離手段によってトナー像を有する転写材を前記像担持体から分離する分離部を有する画像形成装置において、前記分離部は２つ以上の分離電極を有し、該分離電極の各々に独立して高圧電源を設けることを特徴とする画像形成装置。
【請求項２】
前記高圧電源は、出力電圧が各々独立に制御できる制御手段を有することを特徴とする請求項１に記載の画像形成装置。
【請求項３】
前記分離手段は、転写材の物性に応じて前記２つ以上の分離電極に印加する電圧を個別に設定する制御手段を有することを特徴とする請求項１又は２に記載の画像形成装置。
【請求項４】
前記２つ以上の分離電極は、転写手段側の第１の電極と下流側の第２の電極とにより少なくとも構成され、該第１の電極に印加する電圧の方が該第２の電極に印加する電圧より高いことを特徴とする請求項１〜３のいずれか１項に記載の画像形成装置。
【請求項５】
前記２つ以上の分離電極は、転写材搬送方向に平行に交差して配列され、少なくとも転写材最大搬送幅より長いことを特徴とする請求項４に記載の画像形成装置。
【請求項６】
像担持体上に形成されたトナー像を、給紙部から送られ前記像担持体と転写手段との間を通過する転写材に静電転写し、さらに前記転写手段の下流側に配設された分離手段によってトナー像を有する転写材を前記像担持体から分離する分離部を有する画像形成装置において、前記分離部は、転写材搬送面に対し垂直に位置した仕切板により２つ以上に仕切られ、その各々に分離電極が該仕切板に対し平行、かつ、等間隔で配設されていることを特徴とする画像形成装置。
【請求項７】
前記仕切板は、導電性部材で構成されていることを特徴とする請求項６に記載の画像形成装置。
【発明の詳細な説明】
【０００１】
【発明の属する技術分野】
本発明は、電子写真複写機等の画像形成装置で、像担持体上に静電吸着により密着した転写材を分離する分離手段に関する。
【０００２】
【従来の技術】
電子写真複写機やプリンタ等の画像形成装置では、帯電・露光・現像・転写・分離及び定着の工程を経て、転写材上への画像記録が行われる。
【０００３】
像担持体である例えば感光体ドラムの周縁部には、コロナ放電を行う帯電部・転写部・分離部・除電部が設けられ、それぞれ高圧電源が接続されている。
【０００４】
転写部あるいは分離部の高圧電源では、像担持体上に静電吸着による密着状態にある転写材の背面から直流あるいは交流のコロナ放電を行って、像担持体の潜像部分に付着したトナーを転写材側へ転写し、転写材の感光体ドラムからの除電分離は、転写工程で付与された転写材上の帯電を交流コロナ放電器で除電して転写材の静電吸着力を消去し、転写材の剛性と自重を利用して行われている。
【０００５】
この分離手段は、感光体ドラムに近接して設けた分離電極に転写材上の帯電を打ち消す電圧を印加して除電を行い、転写材の種類（通常の厚さと材質を持つものの他に、厚手のもの、材質の異なるもの等）毎に最適な分離電圧値を設定しているが、その最適な分離電圧値は極めて狭い範囲である。
【０００６】
すなわち、印加電圧が高すぎると転写材が逆に帯電して画像抜けの転写不良（以降、ハジキという）を発生し易く、印加電圧が低いと転写材に転写工程での帯電が残存し薄い転写材ほど分離が難しくなるという問題があり、幅広い転写材に対し分離安定性を得るには十分ではない。
【０００７】
【発明が解決しようとする課題】
そこで本発明者らは、２本の分離電極を感光体ドラムの軸方向に略平行に配置し、上流側の電極の放電で感光体ドラム表面に静電吸着した転写材の分離を、下流側の電極の放電で転写材が有する電荷の除電をそれぞれ機能分離して担わせるようにした。
【０００８】
しかしながら、厚さ・剛度・抵抗値等といった転写材の物性により分離性能が異なるため、十分に安定した分離性を得るに至らなかった。
【０００９】
本発明は、上記の点に鑑みてなされたもので、幅広い転写材に対して除電分離効果の高い分離手段を有する画像形成装置を提供することを目的とする。
【００１０】
【課題を解決するための手段】
本発明の上記目的は、以下の構成により達成される。
【００１１】
（１）　像担持体上に形成されたトナー像を、給紙部から送られ前記像担持体と転写手段との間を通過する転写材に静電転写し、さらに前記転写手段の下流側に配設された分離手段によってトナー像を有する転写材を前記像担持体から分離する分離部を有する画像形成装置において、前記分離部は２つ以上の分離電極を有し、該分離電極の各々に独立して高圧電源を設けることを特徴とする画像形成装置。
【００１２】
（２）　前記高圧電源は、出力電圧が各々独立に制御できる制御手段を有することを特徴とする（１）に記載の画像形成装置。
【００１３】
（３）　前記分離手段は、転写材の物性に応じて前記２つ以上の分離電極に印加する電圧を個別に設定する制御手段を有することを特徴とする（１）又は（２）に記載の画像形成装置。
【００１４】
（４）　前記２つ以上の分離電極は、転写手段側の第１の電極と下流側の第２の電極とにより少なくとも構成され、該第１の電極に印加する電圧の方が該第２の電極に印加する電圧より高いことを特徴とする（１）〜（３）のいずれか１項に記載の画像形成装置。
【００１５】
（５）　前記２つ以上の分離電極は、転写材搬送方向に平行に交差して配列され、少なくとも転写材最大搬送幅より長いことを特徴とする（４）に記載の画像形成装置。
【００１６】
（６）　像担持体上に形成されたトナー像を、給紙部から送られ前記像担持体と転写手段との間を通過する転写材に静電転写し、さらに前記転写手段の下流側に配設された分離手段によってトナー像を有する転写材を前記像担持体から分離する分離部を有する画像形成装置において、前記分離部は、転写材搬送面に対し垂直に位置した仕切板により２つ以上に仕切られ、その各々に分離電極が該仕切板に対し平行、かつ、等間隔で配設されていることを特徴とする画像形成装置。
【００１７】
（７）　前記仕切板は、導電性部材で構成されていることを特徴とする（６）に記載の画像形成装置。
【００１８】
すなわち、本発明者は、上流側で分離を担う放電を強めに、下流側で除電を担う放電を弱めに、というような放電形状の制御を行うには、個々の分離電極毎に電源を設ければ良いと考え、本発明に至った。
【００１９】
【発明の実施の形態】
本発明の実施の形態の一例を、以下、図面に基づいて説明する。
【００２０】
図１は、給紙トレイを複数個（本説明では、一例として３個の場合を示している）有する画像形成装置の全体構成図である。
【００２１】
図に示すように、参照符号１で示す装置は、デジタル方式による画像形成装置であって、画像読み取り部Ａ、画像処理部Ｂ、画像形成部Ｃ、転写材搬送手段としての転写材搬送部Ｄ等を有している。
【００２２】
画像読み取り部Ａの上部には原稿を自動搬送する自動原稿送り手段が設けられていて、原稿載置台１１上に載置された原稿は原稿分離ローラＨにより、１枚毎に分離され、分離された原稿は原稿搬送ローラ１２を介して読み取り位置１３ａに搬送されて、画像の読み取りが行われる。
【００２３】
原稿読み取りが終了した原稿は原稿搬送ローラ１２と原稿排紙ローラＧによって原稿排紙皿１４上に排出される。
【００２４】
このとき、後述する第１ミラーユニット１５は前記読み取り位置１３ａの直下で位置固定状態にあり、第２ミラーユニット１６も所定の光路長を保つ位置に固定されている。
【００２５】
一方、プラテンガラス１３上に置かれた場合の原稿の画像は走査光学系を構成する照明ランプ及び第１ミラーからなる第１ミラーユニット１５の速度ｖによる読み取り動作と、Ｖ字状に位置した第２ミラー及び第３ミラーからなる第２ミラーユニット１６の同方向への速度ｖ／２による移動によって読み取られる。
【００２６】
読み取られた画像は、投影レンズ１７を通してラインセンサである撮像素子ＣＣＤの受光面に結像される。
【００２７】
撮像素子ＣＣＤ上に結像されたライン状の光学像は順次電気信号（輝度信号）に変換されたのち、Ａ／Ｄ変換され、画像処理部Ｂにおいて濃度変換、フィルタ処理などの処理を施された後、その画像データは一旦メモリに記憶される。
【００２８】
画像形成部Ｃでは、画像形成ユニットとして、像担持体である感光体ドラム２１と、その外周に、帯電手段である帯電器２２、現像器２３、感光体ドラム２１上に帯電した像を転写材Ｐに転写する転写手段２４、感光体ドラム２１に密着している転写材Ｐを分離する分離手段２５、搬送手段であるベルト搬送部４５、感光体ドラム２１のクリーニング手段２６及び除電手段としてのＰＣＬ（プレチャージランプ）２７が各々動作順に配置されている。
【００２９】
感光体ドラム２１は、光導電性化合物をドラム基体上に塗布形成したもので、例えば有機感光体が好ましく使用され、矢示の時計方向に駆動回転される。
【００３０】
回転する感光体ドラム２１へは帯電器２２による一様帯電がなされた後、像露光手段としての露光光学系３０により画像処理部Ｂのメモリから呼び出された画像信号に基づいた像露光が行われる。
【００３１】
書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２を介して、感光体ドラム２１に対して矢印で示すＡｏの位置で主操作方向の像露光を行い、また、感光体ドラム２１の回転による副走査を介して感光体ドラム２１上に潜像を形成する。
【００３２】
感光体ドラム２１上の潜像は現像器２３によって反転現像され、感光体ドラム２１の表面に可視像のトナー像が形成される。
【００３３】
一方、転写材搬送部Ｄでは、画像形成部Ｃの下方に異なるサイズ、同サイズあるいは紙の種類等の違う転写材Ｐが収納された転写材収納手段として、給紙トレイ７１、７２、７３が設けられ、それらのいずれかから選択された給紙トレイ７１（７２、７３）内の転写材Ｐはさらに案内ローラ４３により搬送され、レジストローラ対４４によって一時停止を行ない、タイミングを取ってレジストローラ対４４の回転により再給紙され、給紙経路４６、転写前ローラ４３ａおよび進入ガイド板４７等を経て転写領域に案内される。
【００３４】
感光体ドラム２１上のトナー像は転写材Ｐ上に転写位置Ｂｏ（矢印位置）において転写手段２４を介して転写され、次いで、前記転写材Ｐは分離手段２５の作用で感光体ドラム２１面より分離された後、ベルト搬送部４５により定着部５０に向けて搬送される。
【００３５】
定着部５０は定着ローラ５１と加圧ローラ５２とを有しており、転写材Ｐが定着ローラ５１と加圧ローラ５２との間を通過する際に、加熱、加圧作用を付与し、トナー像を転写材Ｐに融着させる。
【００３６】
トナー像の定着処理がなされた転写材Ｐは、定着排紙ローラ６３を搬送され、排紙トレイ６４上に排出される。
【００３７】
一方、転写材Ｐが分離された感光体ドラム２１は、クリーニング手段２６によって感光体ドラム２１面の摺擦がなされ、残留トナーの除去・清掃がなされて、次の原稿画像のトナー像の形成を続行するか、もしくは一旦停止して待機する。
【００３８】
なお、次の原稿画像のトナー像の形成が続いて行われるときは、ＰＣＬ２７による感光体ドラム２１の感光体面への全面均一露光が行われて感光体ドラム２１に残留している履歴が消去される。
【００３９】
図２は、画像形成部Ｃにおける転写手段２４、分離手段２５、進入ガイド板４７等から成る部分の概略構成図である。
【００４０】
感光体ドラム２１の電位と逆極性を持ったトナーによって感光体ドラム２１上に形成されたトナー像と、給紙トレイ７１（７２、７３）から送り出されレジストローラ対４４により給紙タイミングと同期を取り転写前ローラ４３ａにより進入ガイド板４７を搬送された転写材Ｐと、がタイミングを取って転写部２４ａに送られると、制御手段（図示せず）からの指令により高圧電源（図示せず）が作動し、バックプレート２４ｂ内に配設された転写電極２４ｃに高電圧が印加され、コロナ放電が発生する。
【００４１】
該コロナ放電によりトナーと反対極性の電位が転写材Ｐの背面から印加されて転写材Ｐが感光体ドラム２１上に静電吸着し、感光体ドラム２１上のトナー像が転写材Ｐ上に転写される。
【００４２】
引き続き、転写部２４ａ側の第１の電極を有する分離部（１）２５ｂにて制御手段１０２（図３を参照）からの指令により高圧電源（１）１１０（図３を参照）が作動し、バックプレート２５ａ内に配設された転写部２４ａ側の第１の電極である分離電極（１）２５ｅに転写電極２４ｃとは反対極性の電位の高電圧ＨＶ１（例えば、交流コロナ又は高電圧交流）が転写材Ｐの背面から印加されコロナ放電を発生させることにより除電して転写材Ｐの感光体ドラム２１への静電吸着力を低減し、転写材Ｐの剛性や自重を利用して感光体ドラム２１から分離する。
【００４３】
さらに、分離部（１）２５ｂの下流側に隣接する第２の電極を有する分離部（２）２５ｃにて制御手段１０２（図３を参照）からの指令により高圧電源（２）１２０（図３を参照）が作動し、バックプレート２５ａ内に配設された分離電極（１）２５ｅの下流側に隣接する第２の電極である分離電極（２）２５ｆに分離電極（１）２５ｅと同じ極性の電位で高電圧ＨＶ１より低い高電圧ＨＶ２を転写材Ｐの背面から印加しコロナ放電を発生させ、転写材Ｐに残留した静電気を除電することにより、確実に感光体ドラム２１より転写材Ｐを分離させることが可能になる。
【００４４】
ここで、分離電極（１）２５ｅに印加する高電圧ＨＶ１を発生させる分離電流ＨＣ１と分離電極（２）２５ｆに印加する高電圧ＨＶ２を発生させる分離電流ＨＣ２との割合を変化させた場合の分離及びハジキの両方に対する効果を実験により求めたのが表１である。
【００４５】
【表１】
2004053730.tif 000003
【００４６】
このことから、高圧電源に分離電流を流すことにより発生した高電圧を印加された分離電極において、分離電極（１）２５ｅに印加する高電圧ＨＶ１より分離電極（２）２５ｆに印加する高電圧ＨＶ２を低くする方が分離及びハジキに対して効果があることがわかる。
【００４７】
なお、分離手段２５は分離部（１）２５ｂと分離部（２）２５ｃとから構成されており、高圧電源（１）１１０（図３を参照）には分離電極（１）２５ｅ、高圧電源（２）１２０（図３を参照）には分離電極（２）２５ｆが配線され、制御手段１０２（図３を参照）からの指令により個別に作動するようになっている。
【００４８】
すなわち、従来は分離電極２本を１個の高圧電源で印加していたため分離電極にて発生する放電分布を各々独立に制御することはできなかった。
【００４９】
しかしながら、本発明の実施の形態においては、分離電極毎に電圧調整可能な独立した高圧電源を設けることにより、分離電極毎に転写材に対する放電分布制御が可能になる。
【００５０】
このため、従来、分離電圧が強すぎると転写材が逆に帯電してハジキが発生し易く、分離電圧が弱いと転写材に転写部での帯電が残存し、薄い転写材程分離が難しくなるという問題があり、ハジキと分離との共存領域が狭く、幅広い転写材物性に対し分離安定性を確保するには不十分であり、最適分離電圧を決めるのが難しかった。
【００５１】
しかしながら、放電分布を独立に制御可能にすることにより、前述のことが容易に制御できるようになり、最適な分離電圧の設定が幅広い転写材物性（例えば、ＰＰ用通常紙、厚紙、薄紙等）に対しても可能となり、分離安定性及び非ハジキ領域の拡大が図れるようになる。
【００５２】
分離電極（１）２５ｅ及び分離電極（２）２５ｆは、主にタングステンを主な組成とした線径０．０８ｍｍ程度のワイヤで構成され、分離電極（１）２５ｅ及び分離電極（２）２５ｆは転写材搬送方向に対し直角かつ平行に交差し、少なくとも転写材Ｐの最大送り幅より長くかつお互いに平行に配設されている。
【００５３】
バックプレート２５ａは、導電性部材（例えば、ステンレス鋼板、等）で作られ、転写材搬送方向に対し仕切板２５ｄで２分割された２つの空間を成し、画像形成に対し転写部２４ａ側を分離部（１）２５ｂ、定着部５０側を分離部（２）２５ｃとしてその各々の略中心に分離電極（１）２５ｅ及び分離電極（２）２５ｆが張設された構成を成し、感光体ドラム２１に面した側に開口部を成した形で対向配置され、分離電極（１）２５ｅ及び分離電極（２）２５ｆの周囲の半空間を覆うように配置してあり、コロナイオンをシールドしている。
【００５４】
仕切板２５ｄは、放電効率を下げないため及びコロナイオンをシールドするためにバックプレート２５ａと同じ導電性部材で構成され、取り付け姿勢は転写材搬送面に対してほぼ垂直でバックプレート２５ａの底面に固定され、その高さはバックプレート２５ａの高さとほぼ同じであり、分離電極（１）２５ｅと分離電極（２）２５ｆとの間に等間隔かつ平行に配列され、転写材幅方向の長さは分離電極（１）２５ｅ及び分離電極（２）２５ｆとほぼ同じ長さを有している。
【００５５】
バックプレート２５ａ及び仕切板２５ｄを覆う形で図２のように分離電極（１）２５ｅ及び分離電極（２）２５ｆに転写材Ｐが引っ掛かるのを防ぐように渡りガイド２５ｇが設けられており、渡りガイド２５ｇは分離電極（１）２５ｅ及び分離電極（２）２５ｆからの転写材Ｐへの放電作用への影響を最小限に押さえるために、櫛歯状や紐状をした絶縁性の材料で構成されている。
【００５６】
感光体ドラム２１周面と分離電極（１）２５ｅとの距離及びバックプレート２５ａの大きさは、感光体ドラム２１の大きさ、転写材搬送速度（処理能力）等の装置仕様により最適のサイズや数値が選択されているが、一般的には、感光体ドラム２１と分離電極（１）２５ｅとの距離及びバックプレート２５ａ及び仕切板２５ｄと分離電極（１）２５ｅとの距離は７〜１０ｍｍにある。
【００５７】
これに対し分離電極（２）２５ｆの位置は、転写材Ｐ上の除電を目的としているため、分離された後の転写材Ｐとの間でのコロナ放電のため感光体ドラム２１との距離はそれほど重要ではないが、分離電極（１）２５ｅとほぼ類似のバックプレート２５ａ及び仕切板２５ｄ形状と電極位置を形成している。
【００５８】
トナー画像を転写され、感光体ドラム２１より分離された転写材Ｐは、次工程の定着部５０へと搬送される。
【００５９】
図３は、分離電極（１）２５ｅと分離電極（２）２５ｆに分離電流を流すことにより、転写材物性毎に最適な印加電圧を分離電極に付与する制御を示すブロック図である。
【００６０】
図において、転写材物性情報１０１を操作部Ｓ（図１を参照）から入力すると、ＣＰＵを含む制御手段１０２（画像形成装置１内に搭載している）における転写材物性記憶手段１０３に予め記憶させておいた転写材物性が選択される。
【００６１】
一方、転写材Ｐの各種の物性に対する最適分離電流値（分離部（１）２５ｂ及び分離部（２）２５ｃにおいてハジキを発生せずに転写材Ｐを感光体ドラム２１より確実に分離することができる分離電極（１）２５ｅ及び分離電極（２）２５ｆに印加する分離電流値）を予め実験等により求め、表２に示すような分離電流値テーブル１０５として制御手段１０２に記憶させておく。
【００６２】
【表２】
2004053730.tif 000004
【００６３】
表２においては、転写材Ｐの物性の１つとしての紙種（ＰＰＣ用の通常紙、厚紙、薄紙等）毎に分離電極（１）２５ｅ及び分離電極（２）２５ｆにかける高圧電源（１）１１０及び高圧電源（２）１２０の最適分離電流値を予め物性データとして求めてある。
【００６４】
このため、分離電極（１）２５ｅと分離電極（２）２５ｆに対し個別に最適分離電流値を転写材Ｐの紙種毎に決めることができ、高圧発生回路１１２及び高圧発生回路１２２により各々の分離電極（１）２５ｅ及び分離電極（２）２５ｆの機能に応じた各々の高圧電源（１）１１０及び高圧電源（２）１２０からの印加電圧の設定が可能になるため安定した分離及び非ハジキ領域の拡大が図れる。
【００６５】
なお、物性データとしては、紙種以外に使用環境条件等を入力しておくことも可能である。
【００６６】
画像形成時、分離電流値データと操作部Ｓから入力され、選択された転写材物性記憶手段１０３からの転写材物性情報１０１を分離電流値テーブル１０５と突き合わせて、制御手段１０２の演算手段１０４により演算し、感光体ドラム２１に静電吸着した転写材Ｐを分離する機能を有する分離電極（１）２５ｅへ付与する分離電流値ＨＣ１と分離した転写材Ｐの残留帯電を除電する機能を有する分離電極（２）２５ｆへ付与する分離電流値ＨＣ２との最適指令値が決められ、ついで、指令値比較手段１０６を通して分離電極（１）２５ｅ及び分離電極（２）２５ｆ毎に配線された高圧電源（１）１１０及び高圧電源（２）１２０に各々個別に伝達される。
【００６７】
高圧電源（１）１１０及び高圧電源（２）１２０内では、指令値比較手段１０６から各々個別に出される信号のうち、まず分離部（１）２５ｂの信号が出され、その信号がＤ／Ａ変換器１１１に伝わり、Ｄ／Ａ変換された信号が高圧発生回路１１２に入力され、高圧発生回路１１２により分離部（１）２５ｂの分離電極（１）２５ｅに転写部２４ａにて印加された電位とは逆電位の高電圧ＨＶ１が印加され、最適なコロナ放電が転写材Ｐの背面へ与えられ、感光体ドラム２１上に転写部２４ａにより静電吸着された転写材Ｐを除電し、転写されたトナー画像を乱すことなく感光体ドラム２１より転写材Ｐを分離する。
【００６８】
転写材Ｐが感光体ドラム２１より分離されつつ分離部（２）２５ｃに到達するタイミングに合わせて指令値比較手段１０６から分離部（２）２５ｃの信号が出され、その信号がＤ／Ａ変換器１２１に伝わり、Ｄ／Ａ変換された信号が高圧発生回路１２２に入力され、高圧発生回路１２２により分離部（２）２５ｃの分離電極（２）２５ｆに転写部２４ａにて印加された電位とは逆電位の高電圧ＨＶ２が印加され、最適なコロナ放電が転写材Ｐの背面へ与えられ、分離部（１）２５ｂにより感光体ドラム２１より分離された転写材Ｐに残留する帯電を除電する。
【００６９】
なお、表１のデータに基づく各電流値割合から明らかなように、分離電極（２）２５ｆに印加される電圧に対し、分離電極（１）２５ｅに印加される電圧より低い値（分離電極（１）２５ｅに対して１／３〜１／４）で十分であることが実証されている。
【００７０】
以上の実施の形態においては、分離部が２つの場合について説明したが、分離部が３つ以上で各々個別に高圧電源から高電圧が供給される場合においても適用可能である。
【００７１】
【発明の効果】
幅広い転写材に対し、分離安定性及び非ハジキ領域の拡大が得られる。
【図面の簡単な説明】
【図１】本発明の実施の形態の画像形成装置の一例としての全体構成図。
【図２】画像形成部における概略構成図。
【図３】転写材物性毎に最適な印加電圧を分離電極に付与する制御を示すブロック図。
【符号の説明】
１　画像形成装置
２１　感光体ドラム
２５　分離手段
２５ａ　バックプレート
２５ｂ　分離部（１）
２５ｃ　分離部（２）
２５ｄ　仕切板
２５ｅ　分離電極（１）
２５ｆ　分離電極（２）
１０１　転写材物性情報
１０２　制御手段
１０５　分離電流値テーブル
１１０　高圧電源（１）
１２０　高圧電源（２）
Ｃ　画像形成部
Ｐ　転写材
Ｓ　操作部
【図１】
2004053730.tif 000005
【図２】
2004053730.tif 000006
【図３】
2004053730.tif 000007